(57)【要約】【課題】入眠から深い睡眠に至る体温の生体リズムに合わせて最適な室温や気流環境を生成し快適な睡眠環境を創る空気調和機の制御装置を提供する。【解決手段】室内温度を設定する室内温度設定手段７と、室内での人（図示せず）の体動を検出する体動検知手段５と、おやすみ運転を作動させるおやすみ作動手段８とを備え、おやすみ作動手段８でおやすみ運転が作動した後、体動検知手段５で検出された人の体動の頻度が所定以下のままで所定時間経過するまで、室内温度設定手段７により室内温度設定を、第１の所定温度だけ低い側にシフトさせ、その後、室内温度設定を、第２の所定温度だけ高い側にシフトさせるように制御するもので、入眠してから深い睡眠に至るまでの間室温を低めにして体感温度を下げ、入眠後の体温の生体リズムに合わせて室温を制御することが可能となり、入眠及びその後の深い睡眠を促進し快適な睡眠環境を創ることができる。【選択図】図１
2007285562.tif 000002
【特許請求の範囲】
【請求項１】
室内温度を設定する室内温度設定手段と、室内での人の体動を検出する体動検知手段と、おやすみ運転を作動させるおやすみ作動手段とを備え、前記おやすみ作動手段でおやすみ運転が作動した後、前記体動検知手段で検出された前記人の体動の頻度が所定以下のままで所定時間経過するまで、前記室内温度設定手段により室内温度設定を、第１の所定温度だけ低い側にシフトさせ、その後、前記室内温度設定を、第２の所定温度だけ高い側にシフトさせるように制御することを特徴とする空気調和機の制御装置。
【請求項２】
第２の所定温度だけ高い側にシフトさせた後、人の体動の頻度が所定以上になったら、前記体動の頻度が所定以下のまま所定時間経過するまで室内温度設定手段により室内温度設定を第３の所定温度だけ低い側にシフトさせるように制御することを特徴とする請求項１に記載の空気調和機の制御装置。
【請求項３】
熱交換された後室内に吹き出される吹出気流の上下風向を設定する上下風向設定手段と、室内での人の体動を検出する体動検知手段と、おやすみ運転を作動させるおやすみ作動手段とを備え、前記おやすみ作動手段でおやすみ運転が作動した後、前記体動検知手段で検出された前記人の体動の頻度が所定以下のままで所定時間経過するまで、前記上下風向設定手段により吹出気流を下向きに吹き出すようにし、その後、前記吹出気流が下向きに吹き出ないようにすることを特徴とする空気調和機の制御装置。
【請求項４】
吹出気流が下向きに吹き出ないようにした後、人の体動の頻度が所定以上になったら前記体動の頻度が所定以下のまま所定時間経過するまで、前記上下風向設定手段により吹出気流を下向きに吹き出すようにしたことを特徴とする請求項３記載の空気調和機の制御装置。
【発明の詳細な説明】
【技術分野】
【０００１】
本発明は、睡眠時に快適な空調制御を行う空気調和機の制御装置に関するものである。
【背景技術】
【０００２】
従来、この種の睡眠時に快適な空調制御を行うために、入床時の人体の生体リズムを考慮して設定温度を制御するものが知られている。
【０００３】
例えば、図6に示すように、室内温度を設定する室内温度設定手段７と、おやすみ作動手段８と、経過時間を計測する時間計測手段１０と、制御手段１１を備え、入床後所定時間経過するまで設定温度を下方にシフトし、その後所定温度だけ上昇させる空気調和機の制御装置がある（例えば、特許文献１参照）。
【特許文献１】特開平３−２２５１４１号公報
【発明の開示】
【発明が解決しようとする課題】
【０００４】
しかしながら、上記従来の空気調和機の制御装置は、入床者が入眠したかどうかに関係なく入床してから所定時間経過後に設定温度が上方にシフトされるため、必ずしも入床者の体温の生体リズムに合った快適な睡眠環境を創ることができない、という課題を有していた。
【０００５】
本発明は、前記従来の課題を解決するもので、入眠及び深い睡眠を促進して快適な睡眠環境を創造することができる空気調和機の制御装置を提供することを目的とする。
【課題を解決するための手段】
【０００６】
前記従来の課題を解決するために、本発明の空気調和機の制御装置は、室内温度を設定する室内温度設定手段と、室内での人の体動を検出する体動検知手段と、おやすみ運転を作動させるおやすみ作動手段とを備え、前記おやすみ作動手段でおやすみ運転が作動した後、前記体動検知手段で検出された前記人の体動の頻度が所定以下のままで所定時間経過するまで、前記室内温度設定手段により室内温度設定を、第１の所定温度だけ低い側にシフトさせ、その後、前記室内温度設定を、第２の所定温度だけ高い側にシフトさせるように制御するもので、入眠してから深い睡眠に至るまでの間室温を低めにして体感温度を下げ、入眠後の体温の生体リズムに合わせて室温を制御することが可能となり、入眠及びその後の深い睡眠を促進し快適な睡眠環境を創ることができる。
【０００７】
また、本発明の空気調和機の制御装置は、熱交換された後室内に吹き出される吹出気流の上下風向を設定する上下風向設定手段と、室内での人の体動を検出する体動検知手段と、おやすみ運転を作動させるおやすみ作動手段とを備え、前記おやすみ作動手段でおやすみ運転が作動した後、前記体動検知手段で検出された前記人の体動の頻度が所定以下のままで所定時間経過するまで、前記上下風向設定手段により吹出気流を下向きに吹き出すようにし、その後、前記吹出気流が下向きに吹き出ないようにするもので、入眠してから深い睡眠に至るまでの間気流感を高めて体感温度を下げ、入眠後の体温の生体リズムに合わせて気流を制御することが可能となり、入眠及びその後の深い睡眠を促進し快適な睡眠環境を創ることができる。
【発明の効果】
【０００８】
本発明の空気調和機の制御装置は、入眠から深い睡眠に至る体温の生体リズムに合わせて最適な室温や気流環境を生成することが可能となり、積極的に入眠及びその後の深い睡
眠を促進する常に快適な睡眠環境を創造することができる。
【発明を実施するための最良の形態】
【０００９】
第１の発明は、室内温度を設定する室内温度設定手段と、室内での人の体動を検出する体動検知手段と、おやすみ運転を作動させるおやすみ作動手段とを備え、前記おやすみ作動手段でおやすみ運転が作動した後、前記体動検知手段で検出された前記人の体動の頻度が所定以下のままで所定時間経過するまで、前記室内温度設定手段により室内温度設定を、第１の所定温度だけ低い側にシフトさせ、その後、前記室内温度設定を、第２の所定温度だけ高い側にシフトさせるように制御するもので、入眠してから深い睡眠に至るまでの間室温を低めにして体感温度を下げ、入眠後の体温の生体リズムに合わせて室温を制御することが可能となり、入眠及びその後の深い睡眠を促進し快適な睡眠環境を創ることができる。
【００１０】
第２の発明は、特に、第１の発明の第２の所定温度だけ高い側にシフトさせた後、人の体動の頻度が所定以上になったら、前記体動の頻度が所定以下のまま所定時間経過するまで室内温度設定手段により室内温度設定を第３の所定温度だけ低い側にシフトさせるように制御するもので、中途覚醒した場合において、再度入眠してから深い睡眠に至るまでの間室温を低めにして体感温度を下げ、再入眠後においても体温の生体リズムに合わせて室温を制御することができ、再入眠及びその後の深い睡眠を促進することができる。
【００１１】
第３の発明は、熱交換された後室内に吹き出される吹出気流の上下風向を設定する上下風向設定手段と、室内での人の体動を検出する体動検知手段と、おやすみ運転を作動させるおやすみ作動手段とを備え、前記おやすみ作動手段でおやすみ運転が作動した後、前記体動検知手段で検出された前記人の体動の頻度が所定以下のままで所定時間経過するまで、前記上下風向設定手段により吹出気流を下向きに吹き出すようにし、その後、前記吹出気流が下向きに吹き出ないようにするもので、入眠してから深い睡眠に至るまでの間気流感を高めて体感温度を下げ、入眠後の体温の生体リズムに合わせて気流を制御することが可能となり、入眠及びその後の深い睡眠を促進し快適な睡眠環境を創ることができる。
【００１２】
第４の発明は、特に、第３の発明の吹出気流が下向きに吹き出ないようにした後、人の体動の頻度が所定以上になったら前記体動の頻度が所定以下のまま所定時間経過するまで、前記上下風向設定手段により吹出気流を下向きに吹き出すようにしたもので、中途覚醒した場合において、再度入眠してから深い睡眠に至るまでの間気流感を適度に高めて体感温度を下げ、再入眠後においても体温の生体リズムに合わせて気流を制御することができ、再入眠及びその後の深い睡眠を促進することができる。
【００１３】
以下、本発明の実施の形態について、図面を参照しながら説明する。なお、この実施の形態によって本発明が限定されるものではない。
【００１４】
（実施の形態１）
図１は、本発明の実施の形態１における空気調和機の制御装置の一例を示すブロック図、図２は、同空気調和機の室内ユニットの一例を示す構成図、図３は、同制御装置によって制御される設定温度の一例を示す説明図である。
【００１５】
図２において、１は、室内熱交換器、２は、室内送風機、３は、室内送風回路、３ａは、室内送風回路３に連通し室内熱交換器１で熱交換された空気を吹き出す吹出口、４は、吹出口３ａに設けられ、室内熱交換器１で熱交換されて吹き出される吹き出し気流の風向を上下方向で変える上下風向羽根、５は、例えば室内の温度変化に反応する赤外線センサ等により人体の動きを検知する体動検知手段で、これらにより、室内ユニット６が構成されている。
【００１６】
この室内ユニット６は、周知の構成のものでよく、また周知の室外ユニット（図示せず）に接続されて周知の冷凍サイクルを構成し、冷房あるいは暖房を行うものである。
【００１７】
図１において、７は、室内温度設定手段、８は、おやすみ作動手段、９は、室内での人の体動を検出する体動検知手段５の出力信号を基に睡眠状態かまたは覚醒状態かを判定する睡眠判定手段、１０は時間計測手段、１１は、睡眠判定手段９及び時間計測手段１０からの信号によって設定温度を補正する制御手段である。
【００１８】
図３は、本実施の形態における空気調和機の制御装置によって制御される設定温度の一例を示したものである。
【００１９】
時間ｔ０に例えば、リモコン（図示せず）の操作等によるおやすみ作動手段８によっておやすみ運転である「おやすみモード」がONされると、制御手段１０は、その時の設定温度（Ｔｓｅｔ）に対して第１の所定温度△Ｔ１だけＴｓｅｔを下方へシフトさせる。その後、体動検知手段５が入床した人の体動を検知し、睡眠判定手段９は、所定時間毎の入床者の体動の頻度が所定以下になった時点ｔ１で、入床者が入眠したと判定する。その後、体動の頻度が所定以下のまま所定時間△ｔ１が経過した時点ｔ２で深い睡眠に至ったと判定し、設定温度を第２の所定温度△Ｔ２だけ上方にシフトさせる。さらに、その後の睡眠中において、睡眠判定手段９が、所定時間毎の体動の頻度が所定以上になった時点ｔ３で、入床者が中途覚醒したと判定し、第３の所定温度△Ｔ３だけＴｓｅｔを下方へシフトさせる。
【００２０】
睡眠判定手段９は、所定時間毎の体動の頻度が所定以下になった時点ｔ４で再度入眠したと判定する。その後、体動の頻度が所定以下のまま所定時間△ｔ２が経過した時点ｔ５で再度深い睡眠に至ったと判定し、設定温度を第３の所定温度△Ｔ３より少なめの第４の所定温度△Ｔ４だけ上方にシフトさせる。
【００２１】
これらによって、入床者が入眠しさらに深い睡眠に至るまでの間、設定温度を低めにして体感温度を下げ、人体の放熱を促進して体温を速やかに低下させることができ、入眠から深い睡眠に至るまでの体温の生体リズムに適応した快適な睡眠環境を創ることができる。また、深い睡眠に至った後は、設定温度をやや高めに戻して体感温度を上げることで、睡眠時の寝冷えを防止しながら常に快適な睡眠環境を創ることができる。
【００２２】
さらに、睡眠中に中途覚醒した場合においても、入眠時同様に再度入眠して深い睡眠に至るまでは設定温度をやや低めにし、再度入眠及び深い睡眠を促進させることができる。また、再度深い睡眠に至った後は、暑さによる中途覚醒を防ぐため、中途覚醒以前の設定温度よりもやや低めの設定温度にシフトすることで、入床者の体感に合わせた快適な睡眠環境を創ることができる。
【００２３】
（実施の形態２）
図４は、本発明の実施の形態２における空気調和機の制御装置の一例を示すブロック図、図５は、同空気調和機の室内ユニットの制御状態の一例を示す構成図である。尚、上記第1の実施の形態と同一部分については、同一符号を付してその説明を省略する。
【００２４】
図４において、１２は、熱交換された後室内に吹き出される吹出気流の上下風向を設定する上下風向設定手段、８は、おやすみ作動手段、９は、体動検知手段５の出力信号を基に睡眠状態かまたは覚醒状態かを判定する睡眠判定手段、１０は、時間計測手段、１１は、睡眠判定手段９及び時間計測手段１０からの信号によって上下風向の設定を補正する制御手段である。
【００２５】
図５（ａ）は、おやすみモードＯＮの後、入眠から深い睡眠に至るまでの上下風向羽根４の制御状態の一例を示し、図５（ｂ）は、深い睡眠に至った後の上下風向羽根４の制御状態の一例を示す。
【００２６】
図５（ａ）の制御状態では、上下風向設定手段１２により、上下風向羽根４を室内送風回路３からの吹出気流を、上方への気流と下方への気流に分割する位置に設定することによって、上方への気流は室内全体を冷やし、下方への気流は入床者に適度に当たるように作用する。
【００２７】
なお、上下風向羽根４の吹出口３ａでの上下位置を可変することによって、上方への気流と下方への気流の割合を調節し、入床者に当たる気流の量を調整し、入床者が感じる体感温度を調節することができる。また、図５（ｂ）の制御状態では、上下風向羽根４が室内送風回路３の下端に位置し、吹出気流を全て上方に吹出して、入床者に気流を当てないようにしている。なお、入床者に気流を当てる場合、図５（ａ）と図５（ｂ）の制御状態を交互に繰り返すことによって、入床者に間欠的に気流を当てることで入床者に当たる気流の量を調節することも可能である。
【００２８】
これらによって、入床者が入眠しさらに深い睡眠に至るまでは、図５（ａ）のように、下方への気流によって入床者に適度に気流を当てて体感温度を下げ、人体の放熱を促進して体温を速やかに低下させることができ、入眠から深い睡眠に至るまでの体温の生体リズムに適応した快適な睡眠環境を創ることができる。
【００２９】
また、深い睡眠に至った後は、図５（ｂ）のように、上方への気流によって入床者に気流を当てないようにして体感温度を上げ、睡眠時の寝冷えを防止しながら常に快適な睡眠環境を創ることができる。
【００３０】
つまり、上記実施の形態１における設定温度をシフトすることによる体感温度の調節に代えて、実施の形態２においては、入床者に当てる気流の量を調節することで体感温度を調節し、実施の形態１と同様に入眠及び深い睡眠を促進する快適な睡眠環境を創るものである。
【００３１】
なお、本実施の形態では、吹出口３ａでの上下風向羽根４の上下位置を可変することで入床者に当たる気流の量を調節したが、例えば、上下風向羽根４の上下角度を可変する等により入床者に当たる気流の量を調節してもよく、気流の方向や風量を調節する構成や制御を限定するものではない
また、第１の実施の形態での室内温度の制御と本実施の形態における上下風向羽根４の制御の両方を併用して実施しても同様の効果を発揮することが可能である。
【産業上の利用可能性】
【００３２】
以上のように、本発明にかかる空気調和機の制御装置は、入眠から深い睡眠に至る体温の生体リズムに合わせて最適な室温や気流環境を生成することが可能となり、積極的に入眠及びその後の深い睡眠を促進する常に快適な睡眠環境を創造することができるもので、人体の動きを検知する手段を有した空気調和機であれば、室内ユニットは壁掛けだけでなく、床置き、天井埋込み、あるいはダクト空調等種々の形態にも搭載可能であり、非常に広範囲な空気調和機に用途展開を図ることができる。
【図面の簡単な説明】
【００３３】
【図１】本発明の実施の形態１における空気調和機の制御装置の一例を示すブロック図
【図２】同空気調和機の室内ユニットの一例を示す構成図
【図３】同制御装置によって制御される設定温度の一例を示す説明図
【図４】本発明の実施の形態２における空気調和機の制御装置の一例を示すブロック図
【図５】（ａ）、（ｂ）同空気調和機の室内ユニットの制御状態の一例を示す構成図
【図６】従来の空気調和機の制御装置の一例を示すブロック図
【符号の説明】
【００３４】
１  室内熱交換器
２  室内送風機
３  室内送風回路
４  上下風向羽根
５  体動検知手段
６  室内ユニット
７  室内温度設定手段
８  おやすみ作動手段
９  睡眠判定手段
１０  時間計測手段
１１  制御手段
１２  上下風向設定手段
【図１】
2007285562.tif 000003
【図２】
2007285562.tif 000004
【図３】
2007285562.tif 000005
【図４】
2007285562.tif 000006
【図５】
2007285562.tif 000007
【図６】
2007285562.tif 000008